(57)【要約】【課題】室内でＴＶ番組を視聴中に携帯電話機に着信があった時、ＴＶの音声により着信に気付かない事を防止する。【解決手段】検出部１０６は、着信を検出すると制御部１０７に通知する。制御部１０７は、記憶部１０２に記憶されているＴＶのリモコンの消音信号のリモコンモードを読み出し、出力部１０８に通知する。出力部１０８は、リモコンコードに対応した赤外線信号をＴＶリモコン受信部１２１に出力する。ＴＶの音量が消音され、携帯電話機の着信音が良く聞こえる。【選択図】    図１
2004186889.tif 000002
【特許請求の範囲】
【請求項１】
着信を検出する検出手段と、
前記検出手段で着信が検出されると、ＴＶの消音信号を出力する出力手段とを備えることを特徴とする携帯電話機。
【請求項２】
前記検出手段は、更に通話終了を検出し、
前記出力手段は、検出手段が通話終了を検出したとき、ＴＶの消音から元の音量に戻す復帰信号を出力することを特徴とする請求項１記載の携帯電話機。
【請求項３】
前記検出手段は、更に、発信を検出し、
前記出力手段は、前記検出手段が発信を検出したとき、ＴＶの消音信号を出力することを特徴とする請求項２記載の携帯電話機。
【請求項４】
ＴＶメーカ毎に消音及び復帰信号のリモコンコードを予め記憶している記憶手段と、
ＴＶのリモコン受信部が受信可能なメーカ名を設定をする設定手段とを更に備え，
前記出力手段は、メーカ名で識別されるリモコンコードに従い、消音信号又は復帰信号を赤外線信号として出力することを特徴とする請求項３記載の携帯電話機。
【請求項５】
前記ＴＶメーカ毎の消音及び復帰信号のリモコンコードをインターネットの所定のホームページのサイトにアクセスし、ダウンロードして前記記憶手段に記憶させるリモコンコード取得手段を更に備えることを特徴とする請求項４記載の携帯電話機。
【発明の詳細な説明】
【０００１】
【発明の属する技術分野】
本発明は、携帯電話機に関する。
【０００２】
【従来の技術】
携帯電話機は、その利便性により、使用のできない病院内等を除いて、基地局との通信が可能な所であれば、常時、携帯され使用されている。
このような使用状況から、周囲が騒々しい所でも携帯電話機に着信呼出音が生じることがある。例えば、特許文献１では、ヘッドホンの使用中に携帯電話機に着信呼出しが生じたときに、ヘッドホンの音量を下げる技術が開示されている。
【０００３】
【特許文献１】
特開平１０−１９０７８０号公報
【０００４】
【発明が解決しようとする課題】
携帯電話機は、屋外だけでなく、室内において使用される場合も多く、ＴＶ番組を視聴している場合であっても、ＴＶの音量が大きいときには、携帯電話機の着信呼出音に気付かないことも生じる。
そこで、本発明は、このような着信呼出音に気付かないことを防止する携帯電話機を提供することを目的とする。
【０００５】
【課題を解決するための手段】
本発明は、上記課題を解決する為，着信を検出する検出手段と、前記検出手段で着信が検出されると、ＴＶの消音信号を出力する出力手段とを備えることを特徴とする携帯電話機としている。
【０００６】
【発明の実施の形態】
以下、本発明に係る携帯電話機の一実施の形態について図面を用いて説明する。
（一実施の形態）
図１は、本発明に係る携帯電話機の一実施の形態の構成図である。なお、この携帯電話機１０１では、本実施の形態固有の構成を記載しており、通常の通話機能等を発揮する構成については省略している。
【０００７】
携帯電話機１０１は、記憶部１０２と、操作部１０３と、表示制御部１０４と、送受信部１０５と、検出部１０６と、制御部１０７と、出力部１０８とを備えている。なお、送受信部１０５は、無線により基地局１１１と接続され、出力部１０８は、ＴＶリモコン受信部１２１に赤外線信号を出力する。
記憶部１０２は、予めＴＶメーカ毎のメーカ名と消音信号のリモコンコードと消音前の音量に復帰する復帰信号のリモコンコードとを組にして記憶している。
【０００８】
また、記憶部１０２には、ダウンロードにより得られたＴＶメーカ名毎又はＴＶメーカ名と消音信号と復帰信号との最新のリモコンコードとが制御部１０７によって記録される。なお、既にリモコンコードが記憶されているときには、メーカ名に対応してダウンロードにより得られたリモコンコードが上書きされる。
図２は、この携帯電話機１０１の正面図である。
【０００９】
操作部１０３は、携帯電話機１０１に設けられた各種ボタンで構成され、ユーザのボタン押下操作を受け、制御部１０７に信号を通知する。
操作部１０３は、ユーザがメニューボタン２０１を押下すると、メニュー信号を制御部１０７に通知する。また、項目選択ボタン２０２が押下されると、選択内容を制御部１０７に通知する。また、表示画面２０３に表示されたソフトボタンに対応してボタン２０４が押下されると、対応するソフトボタンの内容を制御部１０７に通知する。
【００１０】
表示制御部１０４は、制御部１０７からメニュー表示画面やモード設定画面、ＴＶメーカ設定画面、リモコンコード取得画面等の表示指示を受けると、表示画面２０３に指示された画面を表示する。
図３は、表示画面２０３に表示されたモード設定画面３０１を示している。ユーザのメニューボタン２０１の押下操作を受けてメニュー表示画面（図示せず）の表示制御部１０４による表示の後、ユーザの項目選択ボタン２０２の押下操作を受け、表示制御部１０４によってモード設定画面３０１が表示される。
【００１１】
モード設定画面３０１の項目「室内モード」は、着信又は発信があったとき、ＴＶのリモコン受信部に対して、消音信号が出力され、ＴＶの音声が消音され、通話終了時に、同様に復帰信号が出力され、ＴＶの音声が元の音量とされるモードである。
ユーザが項目選択ボタン２０２の押下操作により「室内モード」を選択し、ソフトボタン「ＯＫ」に対応するボタン２０４を押下すると、制御部１０７は室内モードを設定する。
【００１２】
また、室内モードが設定されたとき、ＴＶのリモコン受信部に出力する消音信号と復帰信号とのリモコンコードのメーカ名が設定されていないとき、表示制御部１０４に制御部１０７からＴＶメーカ設定画面を表示するよう通知される。
表示制御部１０４は、図４に示すようなＴＶメーカ設定画面４０１を表示画面２０３に表示する。ユーザは、室内モードを設定したとき、出力部１０８から出力される消音信号又は復帰信号のリモコンコードのメーカ名を項目選択ボタン２０２により選択し、ソフトボタン「ＯＫ」に対応するボタン２０４を押下する。操作部１０３からメーカ名の通知を受けると、制御部１０７は、メーカ名を設定する。
【００１３】
なお、記憶部１０２には、予めＴＶメーカ毎のリモコンコードが記憶されているが、そのリモコンコードが更新されたときには、図３に示したモード設定画面３０１で「リモコンコード取得モード」を選択する。この場合、図５に示すようなリモコンコード取得画面５０１が表示画面２０３に表示制御部１０４によって表示される。ユーザがリモコンコードのメーカ名を全てのメーカを指定する「全社製」又は、特定メーカを選択し、ソフトボタンの「ダウンロード」に対応するボタン２０４を押下すると、制御部１０７を介して送受信部１０５がインターネット上の所定のホームページにアクセスし、選択されたリモコンコードをダウンロードする。送受信部１０５からダウンロードされたリモコンコードの通知を受けた制御部１０７は、記憶部１０２に記憶されているリモコンコードに上書きして更新する。
【００１４】
送受信部１０５は、制御部１０７からリモコンコードの取得を指示されると、予め記憶しているホームページのサイトに基地局１１１、回線網（図示せず）を介してアクセスし、指示されたメーカのリモコンコードをダウンロードし、制御部１０７に通知する。
検出部１０６は、送受信部１０５が他の電話機から基地局１１１を介して着信信号を受信したことを検出すると、制御部１０７に着信信号を検出した旨通知する。
【００１５】
また、検出部１０６は、操作部１０３からユーザのボタン操作によって、送受信部１０５が他の電話機に対して発信信号を送信したことを検出すると、制御部１０７に発信信号を検出した旨通知する。
検出部１０６は、送受信部１０５が他の電話機との通話を終了したことを検出すると、制御部１０７に通話終了を検出した旨通知する。
【００１６】
制御部１０７は、室内モードを設定しているとき、検出部１０６から、着信信号を検出した旨、又は発信信号を検出した旨の通知を受けると、記憶部１０２から設定しているＴＶメーカ名に対応する消音のリモコンコードを読み出し、出力部１０８に通知する。
制御部１０７は、室内モードを設定しているとき、検出部１０６から通話終了を検出した旨の通知を受けると、同様に、復帰のリモコンコードを読み出し、出力部１０８に通知する。
【００１７】
出力部１０８は、リモコンコードと赤外線信号との対応表を有し、制御部１０７から通知されたリモコンコードに対応した消音信号又は復帰信号の赤外線信号を出力する。出力部１０８から出力された消音信号をＴＶリモコン受信部１２１が受信すると、ＴＶの音声が消音される。出力部１０８から出力された復帰信号をＴＶリモコン受信部１２１が受信すると、消音前のＴＶの音量に復帰される。
【００１８】
図６は、本実施の携帯電話機１０１の使用状況を示す図である。
ユーザは、テーブル上に携帯電話機１０１の赤外線照射窓２０５をＴＶリモコン受信部１２１に向けて置いている。ＴＶからは、ＴＶ番組の音声が出力されている。携帯電話機１０１は室内モードに設定されている。携帯電話機１０１に他の電話機から着信があったとき、携帯電話機１０１の赤外線照射窓２０５から消音信号の赤外線信号がＴＶリモコン受信部１２１に出力される。これによって、ＴＶ番組の音声が消音され、ユーザは、着信の呼出音を容易に聞きとれることになる。
【００１９】
ユーザが携帯電話機１０１で通話を終了して、赤外線照射窓２０５をＴＶリモコン受信部１２１に向けると、同様に復帰信号の赤外線信号がＴＶリモコン受信部１２１に出力される。これによって、ＴＶ番組の音声が消音前の音量に戻される。
次に、上記実施の形態の動作を図７のフローチャートを用いて説明する。
【００２０】
検出部１０６は、制御部１０７に室内モードが設定されているか否かを判定し（Ｓ７０２）、設定されているときはＴＶメーカが設定済みか否かを判定する（Ｓ７０６）。設定されていないときは，ユーザのＴＶメーカの設定を待ち（Ｓ７０６）、Ｓ７０２に戻る。
ＴＶメーカが設定されているとき、検出部１０６は、送受信部１０５に着信があるか否かを判定する（Ｓ７０８）。着信がなければ、発信があるか否かを判定する（Ｓ７１０）。なければ、Ｓ７０２に戻る。着信又は発信を検出したときは、制御部１０７にその旨通知する。
【００２１】
制御部１０７は、設定されたＴＶメーカ名を識別子として記憶部１０２に記憶されている消音のリモコンコードを読み出し、出力部１０８に通知する（Ｓ７１２）。
出力部１０８は、リモコンコードに対応する消音信号の赤外線信号をＴＶリモコン受信部１２１に向け出力する（Ｓ７１４）。
【００２２】
これによって、ＴＶ６０１の音声は消音され、携帯電話機１０１の着信音がＴＶ音声に邪魔されることなく聞き取れることになる。
検出部１０６は、通話終了の検出を待って（Ｓ７１６）、制御部１０７に通話終了を検出した旨通知する。
制御部１０７は、記憶部１０２から設定されているＴＶメーカの復帰信号のリモコンコードを読み出し、出力部１０８に通知する（Ｓ７１８）。
【００２３】
出力部１０８は、通知されたリモコンコードに対応する復帰信号の赤外線信号をＴＶリモコン受信部１２１に向け出力し（Ｓ７２０）、Ｓ７０２に戻る。
これによって、消音されていたＴＶ６０１の音声は、消音前の音量の戻り、ユーザは続けてＴＶ番組を視聴することができる。
Ｓ７０２において、室内モードでないと判定されたとき、制御部１０７は、リモコンコード取得モードか否かを判定し（Ｓ７２２）、リモコンコード取得モードのときは、操作部１０３からのＴＶメーカの設定を待ち（Ｓ７２４）、送受信部１０５にメーカ名又は全社製とリモコンコードのダウンロード指示を通知する。
【００２４】
送受信部１０５は、予め記憶しているリモコンコードの格納されたインターネット上の所定サイトに接続し（Ｓ７２６）、必要なリモコンコードをダウンロードし、制御部１０７に通知する（Ｓ７２８）。
制御部１０７は、記憶部１０２に記憶されているリモコンコードを更新し（Ｓ７３０）、Ｓ７０２に戻る。
【００２５】
Ｓ７２２において、制御部１０７は、リモコンコード取得モードでないと判定したときは、通常モードの処理を行う（Ｓ７３２）。
なお、上記実施の形態において、検出部１０６において、着信が検出されたとき、出力部１０８は、ＴＶの音声を消音する消音信号の赤外線信号を出力するようにしたけれども、ＴＶ６０１のリモコン送受信部１２１に出力部１０８から「携帯電話機に着信があります」とのメッセージを表示するための赤外線信号を出力するようにしてもよい。ＴＶ６０１において、この赤外線信号を解釈して、ＴＶ画面にこのメッセージを表示できるようにしていれば、消音と同様の効果を達成することができる。
【００２６】
【発明の効果】
以上説明したように、本発明は、着信を検出する検出手段と、前記検出手段で着信が検出されると、ＴＶの消音信号を出力する出力手段とを備えることを特徴とする携帯電話機としている。このような構成によって、ユーザは、ＴＶの音声に邪魔されることなく、携帯電話機への着信音を聞くことができる。
【００２７】
また、前記検出手段は、更に通話終了を検出し、前記出力手段は、検出手段が通話終了を検出したとき、ＴＶの消音から元の音量に戻す復帰信号を出力することとしている。このような構成によって、携帯電話機の使用の終了によって、わざわざＴＶのリモコンを用いることなく、中断していた番組の視聴を継続することができる。
【００２８】
また、前記検出手段は、更に、発信を検出し、前記出力手段は、前記検出手段が発信を検出したとき、ＴＶの消音信号を出力することとしている。このような構成によって、ＴＶリモコンを用いてわざわざＴＶの音声を消してから電話を掛ける必要がなくなり、室内でＴＶの画面を見ながら静かに電話をすることができる。
【００２９】
また、ＴＶメーカ毎に消音及び復帰信号のリモコンコードを予め記憶している記憶手段と、ＴＶのリモコン受信部が受信可能なメーカ名を設定をする設定手段とを更に備え，前記出力手段は、メーカ名で識別されるリモコンコードに従い、消音信号又は復帰信号を赤外線信号として出力することとしている。このような構成によって、ＴＶメーカ毎に異なるＴＶの音声変更信号に対応することができ、自室にあるＴＶの音声の消音と消音前の音量への復帰とが実現できる。
【００３０】
また、前記ＴＶメーカ毎の消音及び復帰信号のリモコンコードをインターネットの所定のホームページのサイトにアクセスし、ダウンロードして前記記憶手段に記憶させるリモコンコード取得手段を更に備えることとしている。このような構成によって、リモコンコードの変更が生じたときにも、有効に対応することができる。
【図面の簡単な説明】
【図１】本発明に係る携帯電話機の一実施の形態の構成図である。
【図２】上記実施の形態の携帯電話機の正面図である。
【図３】上記実施の形態の携帯電話機の表示画面に表示されたモード設定画面を示す図である。
【図４】上記実施の形態の表示画面に表示されたＴＶメーカ設定画面を示す図である。
【図５】上記実施の形態の表示画面に表示されたリモコンコード取得画面を示す図である。
【図６】上記実施の形態の携帯電話機の使用状況を説明する図である。
【図７】上記実施の形態の動作を説明するフローチャートである。
【符号の説明】
１０１      携帯電話機
１０２      記憶部
１０３      操作部
１０４      表示制御部
１０５      送受信部
１０６      検出部
１０７      制御部
１０８      出力部
１１１      基地局
１２１      ＴＶリモコン受信部
２０１      メニューボタン
２０２      項目選択ボタン
２０３      表示画面
２０４      ボタン
２０５      赤外線照射窓
【図１】
2004186889.tif 000003
【図２】
2004186889.tif 000004
【図３】
2004186889.tif 000005
【図４】
2004186889.tif 000006
【図５】
2004186889.tif 000007
【図６】
2004186889.tif 000008
【図７】
2004186889.tif 000009